(57)【特許請求の範囲】
【請求項１】
液晶層を挟んで対向する一対の透明基板を具備した液晶表示素子と、該液晶表示素子の背面側に配されたバックライトと、該バックライトを収納するバックライト収納部とを有し、
前記バックライト収納部には、前記バックライトの発光を前記液晶表示素子背面側から該液晶表示素子の表示領域に照射するための開口窓が設けられ、該開口窓の内縁部には、前記液晶表示素子側から前記バックライト側に向けて該開口窓の輪郭形状が大きくなるようなテーパ面が形成されており、
前記液晶表示素子には、前記表示領域の輪郭を規定する表示領域規定枠部が設けられ、該表示領域規定枠部の輪郭に沿った幅方向中心位置線と、前記テーパ面の前記液晶表示素子側輪郭とが、平面視略同一位置に形成されることを特徴とする液晶表示装置。
【請求項２】
前記表示領域規定枠部が、前記テーパ面の延長面よりも前記開口窓外側位置に設けられることを特徴とする請求項１記載の液晶表示装置。
【請求項３】
前記バックライト収納部が、前記液晶表示素子の表示領域以外には前記バックライトの発光を遮蔽する状態とされるとともに、前記バックライトが収納されるバックライトケースと、該バックライトケースが接触状態に収納されるフレーム部とを具備する構成とされ、
前記フレーム部には、前記バックライトの発光を前記液晶表示素子に照射するための開口部が設けられ、該開口部の内縁部には、少なくともその一部に前記テーパ面が形成されていることを特徴とする請求項２記載の液晶表示装置。
【請求項４】
前記バックライト収納部が、前記液晶表示素子の表示領域以外には前記バックライトの発光を遮蔽する状態とされるとともに、前記バックライトが収納されるバックライトケースと、該バックライトケースが接触状態に収納されるフレーム部とを具備する構成とされ、
前記バックライトケースには、前記バックライトの発光を前記液晶表示素子に照射するための開口部が設けられ、該開口部の内縁部には、少なくともその一部に前記テーパ面が形成されていることを特徴とする請求項２記載の液晶表示装置。
【発明の詳細な説明】
【０００１】
【発明の属する技術分野】
本発明は、液晶表示装置に係り、特に、バックライトを備えた液晶表示装置に用いて好適な技術に関する。
【０００２】
【従来の技術】
近年、モバイルツール、小型モニター用テレビ、携帯ゲーム機等、小型で携帯可能な液晶表示装置の利用が拡大している。
このような液晶表示装置は、その使用状態として、携帯して使用することから、その利便性を向上するために、小型化への要請が非常に大きく、この液晶表示装置の小型化としても、特に、薄型化を図りたいという要求が存在していた。
【０００３】
このような液晶表示装置の例として、例えば、図７に示すような液晶表示装置が知られている。
図７において、符号１１０は液晶パネル、１１２は駆動ＩＣ、１１３はフレキシブル基板、１２０は導光部材、１３０は枠体、１３１は蛍光管収納部、１３２は蛍光管反射部材受部、１３３パネル受部、１３４は導光部材見切り部、１３５はフック、１３６はパネル収納部、１４０は光拡散部材、１４５はプリズムシート、１５０はバックライト、１６０は反射部材、１６１，１６２は両端部、１７０はパネル前面支持部材、１７１は表示領域、１００はソース基板である。
【０００４】
このような液晶表示装置では、液晶パネル１１０は、２枚の透明基板の間に液晶を挟み込むとともに、この透明基板周囲がシールで封止されている。この透明基板の対向する面には、ゲート線とソース線とがお互いに直交する状態に設けられており、これらゲート線およびソース線には、フレキシブル基板（ＦＰＣ）１１３を介して、液晶パネル１１０を駆動する駆動ＩＣ１１２の配設されたゲート基板およびソース基板１００上の駆動回路にそれぞれ接続されている。
また、液晶表示装置には、液晶パネル１１０の表示領域１７１をその目視側と逆側（背面側）から照明するバックライト１５０が設けられる。
【０００５】
図８，図９は、視認角を説明するための図７における表示領域１７１周縁部付近を拡大した断面図である。
液晶パネル１１０には、図８に示すように、表示領域１７１を規定するために、例えば液晶パネル１１０の２枚の透明基板の間にこの表示領域１７１の周囲を囲むように、遮光材料からなるブラックマスクＢが設けられている。
また、枠体１３０には、バックライト１５０から照射される光を表示領域１７１付近だけに規定する開口部を形成するように端部１３９の位置が設定されており、例えば、表示領域１７１以外へのバックライト１５０の光を遮光するように、前記枠体１３０がブラックマスクＢに対して視認方向に（平面視して）重なった状態とされている。
【０００６】
【発明が解決しようとする課題】
しかし、このような構成の液晶表示装置では、表示領域１７１周縁部において、図８に示すように、液晶パネル１１０主面の法線Ｎ方向に近い方向から目視した場合には、充分なバックライト１５０光量が得られ、表示領域７１中央部分と同様液晶パネル１１０の表示を充分に視認することができるが、図９に示すように、表示領域１７１周縁部において、液晶パネル１１０主面の法線Ｎ方向から傾いた方向から目視した場合には、枠体１３０端部１３９によってバックライト１５０からの光が遮断されてしまい、ブラックマスクＢの内側つまり、表示領域１７１であるにもかかわらず、液晶パネル１１０の表示を視認することが困難になるという問題があった。
このため、液晶表示装置を視認する角度によっては、液晶パネル１１０に表示された情報が欠落してしまう、つまり液晶表示装置の動作確実性が低下するという問題がある。
ここで、このような液晶パネル１１０主面の法線Ｎ方向と、液晶パネル１１０の表示を視認可能な限界角度、つまり図８，図９に示すように、液晶パネル１１０主面の法線Ｎ方向とブラックマスクＢの内側輪郭Ｂ１を通る視認線Ｓとの為す角度θを視認角とし、この視認角θのうち、図８に示すように、枠体１３０に阻害されない最大視認角θm を広げたいという要求が存在していた。
【０００７】
この要求を満たすため、枠体１３０の開口部の面積を維持した状態で、この開口部を形成する端部１３９輪郭よりも、ブラックマスクＢの内側輪郭Ｂ１を、表示領域の内側方向に拡大する、つまり、ブラックマスクＢの表示領域１７１輪郭に沿った幅寸法を拡大することにより、表示領域１７１周辺部における最大視認角θm を大きく設定する手段が考えられる。
【０００８】
しかし、このような手段によって最大視認角θm を大きくした場合には、液晶パネル１１０における表示領域１７１の面積が減少してしまうという問題が発生する。このため、表示領域１７１の大きさを維持した状態で、枠体１３０の開口部を形成する端部１３９を大きく設定する、つまり、開口部の面積を拡大することが考えられるが、この様な手段により最大視認角θm を大きく設定した場合には、開口部の大きさ寸法に準じてバックライト１５０等の寸法を拡大する必要があり、液晶表示装置全体の寸法が大きくなってしまうという問題が発生する可能性があった。または、開口部の面積のみを大きくした場合には、バックライト１５０からの光が充分に遮光されず、液晶パネル１１０の表示領域１７１以外から漏れてしまう、あるいは、バックライト１５０から発生する光以外にも電磁波、熱等が充分遮蔽されないことにより、液晶表示装置の動作信頼性が低下する、さらに、バックライト１５０を収納する部分または液晶表示装置全体としての機械的強度が低下して動作信頼性が低下してしまうという問題が発生する可能性があった。
【０００９】
本発明は、上記の事情に鑑みてなされたもので、以下の目的を達成しようとするものである。
▲１▼ 液晶表示素子（液晶パネル）における最大視認角の拡大を図ること。
▲２▼ 液晶表示装置の動作確実性の向上を図ること。
▲３▼ 液晶表示装置の動作信頼性の向上を図ること。
【００１０】
【課題を解決するための手段】
本発明は、液晶層を挟んで対向する一対の透明基板を具備した液晶表示素子と、該液晶表示素子の背面側に配されたバックライトと、該バックライトを収納するバックライト収納部とを有し、前記バックライト収納部には、前記バックライトの発光を前記液晶表示素子背面側から該液晶表示素子の表示領域に照射するための開口窓が設けられ、該開口窓の内縁部には、前記液晶表示素子側から前記バックライト側に向けて該開口窓の輪郭形状が大きくなるようなテーパ面が形成されていることにより上記課題を解決した。
本発明において、前記液晶表示素子には、前記表示領域の輪郭を規定する表示領域規定枠部が設けられ、該表示領域規定枠部の輪郭に沿った幅方向中心位置線と、前記テーパ面の前記液晶表示素子側輪郭とが、平面視略同一位置に形成されることが好ましい。
また、本発明において、前記表示領域規定枠部が、前記テーパ面の延長面よりも前記開口窓外側位置に設けられることもできる。
本発明において、前記バックライト収納部が、前記液晶表示素子の表示領域以外には前記バックライトの発光を遮蔽する状態とされるとともに、前記バックライトが収納されるバックライトケースと、該バックライトケースが接触状態に収納されるフレーム部とを具備する構成とされ、前記フレーム部には、前記バックライトの発光を前記液晶表示素子に照射するための開口部が設けられ、該開口部の内縁部には、少なくともその一部に前記テーパ面が形成されている手段か、または、前記バックライトケースには、前記バックライトの発光を前記液晶表示素子に照射するための開口部が設けられ、該開口部の内縁部には、少なくともその一部に前記テーパ面が形成されている手段、あるいは、その両方を採用することもできる。
【００１１】
本発明では、前記開口窓に前記テーパ面を設けたことにより、表示領域の周縁部において前述した最大視認角を拡大する、つまり、表示領域の周縁部において液晶表示素子主面の法線よりも表示領域中心側から液晶表示素子を視認した場合にも、バックライトからの光が遮蔽されることなく表示領域を視認することが可能となる。
また、これにより、バックライト収納部の開口窓の面積を大きく設定することなく最大視認角を増加することができるので、バックライト収納部の機械的強度、および液晶表示装置の機械的強度を低下することがない。
【００１２】
ここで、前記テーパ面は、視認角を拡大可能な形状であればよく、平面に限定されず、曲面等の形状が可能である。この場合、後述するテーパ面の延長面とは、例えば、テーパ面各点において定義される視認線に対して、これらの表示領域外側に位置するものを連続して定義される。
ここで、テーパ面の液晶表示素子主面の法線に対する傾き角、つまり、最大視認角は、大きければ大きいほどよく９０度に近い方が好ましいが、あまり大きい値だと、バックライト収納部の機械的強度が低下するとともに、バックライト収納部の製造過程において、不都合が生じるため、６０度以下程度が好ましい。
【００１３】
本発明において、前記表示領域規定枠部の輪郭に沿った幅方向中心位置線と、前記テーパ面の前記液晶表示素子側輪郭とが、平面視略同一位置に形成されること、つまり、該表示領域規定枠部の芯線位置と、前記テーパ面の前記液晶表示素子側輪郭とが、平面視略同一位置に形成されること、言い換えると、液晶表示装置の視認側から見て、表示領域の輪郭周囲には、この表示領域に接する状態で前記幅を有するブラックマスク等の表示領域規定枠部が位置され、この表示領域の輪郭よりも前記表示領域規定枠部の幅寸法に等しい寸法だけ縦横ともに拡大された輪郭寸法に開口窓が設定され、前記表示領域規定枠部と開口窓との対応する輪郭がそれぞれ等距離だけ平面視して離間するように配置されること、により、平面視して表示領域規定枠部とバックライト収納部とが重なっているため、表示領域以外の領域へバックライトからの光を遮蔽することができ、かつ、バックライト収納部の機械的強度、および液晶表示装置１の機械的強度を低下することがない。
【００１４】
また、前記表示領域規定枠部が、前記テーパ面の延長面よりも前記開口窓外側位置に設けられることにより、後述するように、表示領域規定枠部によって規定される表示領域輪郭と前記テーパ面の前記液晶表示素子側輪郭とを結んだ視認線によって、最大視認角を設定することが可能となる。
これにより、必要な最大視認角を確保した状態で、開口窓の大きさと表示領域の大きさとのバランスを設定することができる。
【００１５】
本発明の前記バックライト収納部が、前記液晶表示素子の表示領域以外には前記バックライトの発光を遮蔽する状態とされるとともに、前記バックライトが収納されるバックライトケースと、該バックライトケースが接触状態に収納されるフレーム部とを具備する構成とされ、前記フレーム部、または、前記バックライトケース、もしくはこれらの両方には、前記バックライトの発光を前記液晶表示素子に照射するための開口部が設けられ、該開口部の内縁部には、少なくともその一部に前記テーパ面が形成されている、つまり、このフレーム部またはバックライトケースの開口部、もしくは、これらの輪郭の組み合わせにより、前記開口窓が構成されている。これにより、テーパ面の存在によって表示領域周縁部における最大視認角の増大を図った状態で、フレーム部に対してバックライトケースを着脱自在とする等の設計の自由度を向上できるとともに、バックライトが金属等からなるバックライトケースにより覆われ、バックライトから発生する電磁波等の遮蔽状態を向上することができるとともに、同様にバックライトから発生する熱を、バックライトケース、該バックライトケースが接触状態に収納されるフレーム部、このフレーム部の接続されている外筐体という、互いに接触された複数の部材を介して液晶表示装置外側に排出することが容易にできる。これにより、バックライトと駆動用ＩＣ等との間隔を減少して薄型化を図り内部空間の熱対流が減少した場合にも、充分熱を外部に放出することが可能となり、前記駆動用ＩＣ等が誤動作することを防止することができる。
ここで、表示領域外側近傍におけるバックライトケース、フレーム部において、テーパ面の設けられる部分の板厚が０．２〜０．６ｍｍに設定されることが好ましい。これにより、バックライト収納部としてのバックライトケース、フレーム部における機械的強度を維持した状態で、かつ、バックライトと液晶表示素子との距離が離れて表示効率が低下したり、視認角が狭小化することを防止できる。
【００１６】
【発明の実施の形態】
以下、本発明に係る液晶表示装置の第１実施形態を、図面に基づいて説明する。
図１は本実施形態の液晶表示装置を示す斜視図、図２は同分解斜視図、図３は、本実施形態における液晶表示装置１を示す要部断面図、図４は図１の液晶パネル３を示す平面図である。
図において、符号１は液晶表示装置、２は上ケース（外筐体）、３は液晶パネル（液晶表示素子）、４はフレキシブル配線基板（駆動回路基板）、５はフレーム部、６はバックライトケース、７はコントロール基板、８Ａは電源基板、８Ｂはデコーダ基板、９は下ケース（外筐体）、６１はバックライト、Ｂはブラックマスク（表示領域規定枠部）である。
【００１７】
本実施形態の液晶表示装置１は、図１および図２に示すように、液晶層を挟んで対向する一対の透明基板３１，３２を具備する液晶表示素子３と、この液晶表示素子３の背面側に配されたバックライト６１と、前記バックライト６１を収納するバックライトケース６およびフレーム部５と、前記液晶表示素子３を駆動するための駆動回路基板４と、これら液晶表示素子３，バックライト６１および駆動回路基板４が収納される外筐体２，９とを有している。
外筐体２，９は、図１および図２に示すように、目視側（前面側）の上ケース２と逆側（背面側）の下ケース９とからなり、上ケース２には、液晶表示素子３の表示領域を外部に露出させる開口部２１が設けられている。また、これら上ケース２と下ケース９とには、組立状態において、後述するように、側面部に側面開口部Ｋを形成する切欠がそれぞれ設けられている。また、この上ケース２の開口部２１周辺には、後述するように、前記一対の透明基板３１，３２のうち、後面側の透明基板３２の端部に当接することにより、該後面側の透明基板３２を前記開口部２１に対して位置規制する複数の位置規制凸部が設けられている。
【００１８】
液晶パネル３は、２枚の透明基板３１，３２の間に液晶を挟み込むとともに、透明基板３１，３２周囲がシールで封止され、この透明基板３１，３２どうしの対向する面には、ＩＴＯ等からなるゲート線とソース線とがお互いに直交する状態に設けられており、これらゲート線およびソース線には、フレキシブル配線基板（ＴＣＰ：Taping Carrier Package）３３，３３を介して、液晶パネル３を駆動する駆動ＩＣの配設されたゲート基板４１およびソース基板４２，４２がそれぞれ接続されている。
【００１９】
液晶パネル３においては、一対の透明基板３１，３２のそれぞれの表面に偏光板３１ａ，３２ａが設けられ、一対の透明基板３１，３２の間には、表示領域Ｒを規定するために遮光性を有する樹脂やＣｒ等の金属からなるブラックマスク（表示領域規定部）Ｂが周設されている。
このブラックマスクＢは、図３、図４に示すように、表示領域Ｒの輪郭周囲において、ブラックマスクＢの内側（表示領域側）端部Ｂａが表示領域Ｒに接する状態で表示領域Ｒを規定して設けられ、この表示領域Ｒの周囲において表示領域Ｒの輪郭に沿った幅寸法、つまり、ブラックマスクＢの輪郭に沿った幅方向寸法ＷB がその輪郭全周で等しく設定される。
この一対の透明基板３１，３２のうち、目視側（前面側、または液晶表示装置１外側）の透明基板３１は、図３および図４に示すように、背面側（または、液晶表示装置１内側）の透明基板３２に比べて、表示面における輪郭形状が、小さくなっている。つまり、図３および図４に示すように、背面側の透明基板３２には、前面側の透明基板３１と平面視して重なり合わない部分が形成されており、そのうち、ゲート線およびソース線の存在している部分が端子部３２ｂを形成している。
【００２０】
また、前面側の透明基板３１は、前記外筐体２の開口部２１内に挿入されて、前面側の透明基板３１の輪郭が開口部２１内に位置するように組み立てられている。
背面側の透明基板３２は、その周囲の輪郭端部が、前記上ケース２の複数の位置規制凸部に当接するように組み立てられて、開口部２１に対する液晶パネル３主面の面内方向取り付け位置を設定し、液晶表示素子３の上ケース２への位置決めおよび取付固定をおこなう。
【００２１】
ゲート基板４１およびソース基板４２，４２には、フレキシブル配線基板３３，３３を介して背面側の透明基板３２端子部３２ｂに接続されており、図３に示すように、ソース基板４２と透明基板３２とは組立時に、略平行に位置され、この間に、フレーム部５およびバックライトケース６との一部分を挟んだ状態とされるとともに、例えばポリイミドからなる厚さ０．１ｍｍ程度のフレキシブル配線基板３３，３３が、図３に示すように、湾曲した状態に組み立てられている。
このフレキシブル配線基板３３，３３は、前記液晶パネル３の周囲を囲むように、かつ、前記液晶パネル３の輪郭の一部に断続的に配置されている。
さらに、このフレキシブル配線基板３３，３３の外側（上ケース２側）には、その全体を覆うように、フィルムからなる保護部材（保護フィルム）４３が設けられる。
【００２２】
この保護フィルム４３は、図３に示すように、その両端がソース基板４２および、前記上ケース（外筐体）２に固定されている。
この保護フィルム４３においては、端子部３２ｂ側の端部が、フレキシブル配線基板３３およびＩＴＯの露出した端子部３２ｂを覆うように位置して、かつ、これらフレキシブル配線基板３３およびＩＴＯの露出した端子部３２ｂに対向する上ケース２の内側面に両面接着テープ（保護部材）４４により接続されている。
この両面接着テープ（保護部材）４４はまた、上ケース２の内側面とフレキシブル配線基板３３およびＩＴＯの露出した端子部３２ｂとの間で、荷重がかかった場合に、これらをフレキシブル配線基板３３および端子部３２ｂのＩＴＯ等を保護する保護部材を構成しており、この両面接着テープ（保護部材）４４はクッション性（可撓性）を有し、荷重を軽減するように充分な厚み寸法を持つように設定されている。
【００２３】
また、保護フィルム４３において、ソース基板４２側の端部は、フレキシブル配線基板３３を覆うように位置して、このフレキシブル配線基板３３と離間した位置において、ソース基板４２表面に両面接着テープ４５により接続されている。
ここで、保護フィルム４３とフレキシブル配線基板３３とを直接接着しないように、保護フィルム４３が固定されている。
【００２４】
フレーム部５は、図２，図３に示すように、前記バックライトケース６を挿脱可能に収納するように設けられ、かつ、上ケース２および下ケース９とに熱および電荷を伝導可能に接続される。
液晶表示装置１の厚み方向において、このフレーム部５と上ケース２との間には、一対の透明基板３１，３２のうち、背面側の透明基板３２の端子部３２ｂが挟持される。また、この端子部３２ｂが挟持されていない位置において、フレーム部５と上ケース２とが、接合部において例えば螺合されたネジにより固定されている。
【００２５】
フレーム部５上面には、図２、図３に示すように、液晶パネル３の表示部に対応した矩形の開口部５１が設けられ、該開口部５１の内縁部には、視認方向に向けて、つまり、前記液晶パネル３側から前記バックライト６１側に向けて該開口部５１の輪郭形状が大きくなるようなテーパ面５１Ａが形成されている。この開口部５１は、その全周にテーパ面５１Ａを有するとともに、後述するバックライトケース６の開口部６６よりも、表示領域Ｒ内側位置となる輪郭を有し、表示領域Ｒの周縁部において最大視認角θm を拡大する開口窓を構成している。
【００２６】
このテーパ面５１Ａの内側（液晶パネル３側）端部５１ａは、図３に示すように、ブラックマスクＢの輪郭に沿った幅方向寸法ＷB における中心位置を通り液晶パネル３主面法線Ｎに平行な中心位置線Ｃと一致する位置に設定される。したがって、液晶パネル３主面内方向においては、端部５１ａで規定されるテーパ面５１Ａの輪郭（開口部５１の最内側輪郭）と、図３に一点鎖線で示すブラックマスクＢの輪郭に沿った方向と直交する幅方向寸法ＷB における中心位置線Ｃとが、平面視略同一位置に形成される。つまり、液晶パネル３側のテーパ面５１Ａ輪郭と、ブラックマスクＢの芯線Ｃとが、平面視して略同一位置に設定される。言い換えると、液晶表示装置１の視認側（表側）から見て、ブラックマスクＢの内側端部Ｂａで規定される表示領域Ｒの輪郭よりも、ブラックマスクの幅寸法ＷB に等しい寸法だけ縦横ともに拡大された輪郭寸法に開口部５１が設定され、ブラックマスクＢと開口部５１との輪郭で対応する各辺（輪郭線）がそれぞれ等距離だけ平面視して離間するように配置される。
【００２７】
前記テーパ面５１Ａは、視認角を拡大可能な形状であればよく、平面に限定されず、曲面等の形状が可能である。ここで、テーパ面５１Ａに対しては、このテーパ面５１Ａ各点において定義される視認線Ｓに対して、これらの表示領域Ｒ最外側に位置するものを連続してテーパ面５１Ａの延長面を定義することができる。本実施形態においては、このテーパ面５１Ａの延長面は、図３に示す視認線Ｓを開口部５１の輪郭に沿って連続して定義される。
このテーパ面５１Ａの延長面よりもブラックマスクＢおよび後述するバックライトケース６の開口部６６の端部６６ａが、開口部５１外側位置、表示領域Ｒ外側、かつ、液晶表示装置１外側に位置される。つまり、テーパ面５１Ａの延長面によって規定される視認線ＳがブラックマスクＢあるいはバックライトケース６に重なって、バックライト６１から液晶パネル３を照射すべき光が阻害されてしまい、最大視認角θm が減少することがない。
【００２８】
ここで、テーパ面５１Ａの液晶パネル３主面の法線Ｎに対する傾き角、つまり、最大視認角θm は、大きければ大きいほどよく９０度に近い方が好ましいが、あまり大きい値だと、フレーム部５の開口部５１付近における機械的強度が低下するとともに、フレーム部５の製造過程において、不都合が生じるため、６０度以下程度が好ましい。
ここで、表示領域Ｒ外側近傍におけるフレーム部５において、テーパ面５１Ａの設けられる部分の板厚が０．２〜０．６ｍｍに設定されることが好ましい。これにより、バックライト収納部としてのフレーム部５における機械的強度を維持した状態で、かつ、バックライト６１と液晶パネル３裏面との距離が離れて表示効率が低下したり、視認角が狭小化することを防止できる。
【００２９】
また、フレーム部５上面には、上ケース２の位置設定凸部と同様に、液晶パネル３の固定位置を設定する位置設定部が設けられ、この位置設定部は、ソース基板４２側方向への固定位置を規制するようにフレーム部５の主面側方から上方にむけて折り曲げ形成した曲げ部からなるものや、ゲート基板４１側方向への位置を規制するようにフレーム部５の主面上から突出させて設けたエンボス部からなるものから構成されている。これらの位置設定部に後面側の透明基板３２が当接することにより、フレーム部５に対して後面側の透明基板３２の固定位置が規定され、さらに、このフレーム部５と外筐体２，９とを螺合することにより、組立時に、後面側の透明基板３２をフレーム部５、外筐体２，９に対して位置設定して固定し、液晶パネル３の上ケース２に対する固定位置を規制することができる。
【００３０】
また、フレーム部５下側には、図２，図３に示すように、前記バックライトケース６とフレーム部５との取り付け位置、つまり、開口部５１と開口６６との取り付け位置を規定する位置規定部５３，５４，５５が設けられる。
位置規定部５３，５４，５５は、バックライトケース６の長手方向と一致するこのバックライトケース６の挿脱位置を規定するレール部５３と、この挿脱の際、液晶パネル３に対する設置位置を規定する下レール部５４と、バックライトケース６の挿脱方向におけるエンド位置規定するストッパ部５５とから形成されている。
【００３１】
バックライトケース６には、図３に示すように、液晶パネル３の表示領域Ｒに対応した開口部６６を有し、その内部には、冷陰極管等とされるバックライト６１と、このバックライト６１からの光を液晶パネル３側に導く導光板６２と、導光板６２上面に貼付され光拡散部材、視野角補正用部材等からなるシート６３，６３とが収納される。ここで、バックライト６１は、導光板６２に接する側以外をバックライトケース６にほぼ覆われた構造とされている。上記開口部６６は、その端部６６ａを連続して構成される開口部６６輪郭形状が、上記フレーム部５の開口窓となる開口部５１よりも、平面視して大きくなるよう設定されている。バックライトケース６は、例えばＳＵＳ（ステンレス鋼）からなり、挿脱時および変形に抗し得る充分な機械的強度を有し、かつ、熱伝導性および電気伝導性に優れ、バックライト６１等から発生する熱、電荷をフレーム部５等に伝導するとともに、バックライト６１等から発生する熱、電磁波を遮蔽することにより、外部の駆動ＩＣ等に与える影響を低減するものとされる。
これらバックライトケース６およびフレーム部５は、液晶パネル３の表示領域Ｒ以外にはバックライト６１の発光を遮蔽する状態とされるバックライト収納部を構成している。
【００３２】
コントロール基板７には、制御用ＩＣ７１，７１および、液晶表示装置１への入力を行うスイッチ部７２等が設けられ、ゲート基板４１およびソース基板４２へ接続され、これらの動作を制御することで、液晶パネル３の表示動作を制御するとともに、デコーダ基板８Ｂとともに、液晶表示装置１の動作を制御するものとされる。
【００３３】
電源基板８Ａは、液晶表示装置１の各部に必要な電源を供給するものとされ、高さ寸法（液晶表示装置１の厚み寸法）の大きな電源トランス８１が設けられる。この電源トランス８１は、平面視してゲート基板４１に略重なる位置に設けられる。
【００３４】
下ケース９は、上ケース２，フレーム部５と接続固定されるとともに、コントロール基板７に接続されるコネクター部９１が設けられる。また、側面開口部Ｋが蓋部２２により閉塞される構造とされる。
【００３５】
本実施形態の液晶表示装置１においては、電源基板７により電力を供給されて、コントロール基板７に制御されたゲート基板４１およびソース基板４２により液晶表示素子３を駆動し、これを導光板６２、開口部５１，６６を介して導かれたバックライト６１の発光により表示する。
【００３６】
ここで、本実施形態の液晶表示装置１は、開口窓を構成するフレーム部５の開口部５１にテーパ面５１Ａを設けたことにより、表示領域Ｒの周縁部において最大視認角θm を拡大する、つまり、表示領域Ｒの周縁部において液晶パネル３主面の法線Ｎよりも表示領域Ｒ中心側から液パネル３を視認した場合にも、バックライト６１から導光板６２を介して導かれた光が遮蔽されることなく表示領域Ｒ周縁部を視認することが可能となる。したがって、液晶表示装置１を視認する角度によって液晶パネル３に表示された情報が欠落してしまうことの防止を図り、液晶表示装置１の動作確実性の低下を防止することができる。
また、これにより、フレーム部（バックライト収納部）５の開口部５１の面積を大きく設定することなく最大視認角θm を増加することができるので、フレーム部（バックライト収納部）５の機械的強度、および液晶表示装置１の機械的強度を低下することがなく、また、バックライト６１からの熱、電磁波の影響を増大することがないため、液晶表示装置１の動作信頼性の低下を防止することができる。
【００３７】
また、ブラックマスクＢの幅寸法ＷB の中心位置を連続したブラックマスクＢの芯線Ｃと、テーパ面５１Ａ端部５１ａを連続した開口部５１の最内側輪郭との視認方向位置が一致するように設定されていることにより、平面視してブラックマスクＢとフレーム部５およびバックライトケース６からなるバックライト収納部とが重なっているため、表示領域Ｒ以外の領域へバックライト６１から照射される光を遮蔽することができ、かつ、バックライト収納部の機械的強度、および液晶表示装置１の機械的強度を低下することがない。
【００３８】
また、ブラックマスクＢが、前記テーパ面５１Ａの延長面よりも前記開口窓である開口部５１外側位置に設けられることにより、ブラックマスクＢによって規定される表示領域Ｒ輪郭と前記テーパ面５１Ａにおける前記液晶パネル３側の輪郭とを結んだ視認線によって、最大視認角θm を設定することが可能となる。
これにより、必要な最大視認角θm を確保した状態で、開口部５１の大きさと表示領域Ｒの大きさとのバランスを設定することができる。
【００３９】
さらに、フレーム部５の開口部５１により開口窓が構成されていることにより、テーパ面５１Ａの存在によって表示領域Ｒ周縁部における最大視認角θm の増大を図った状態で、フレーム部５に対してバックライトケース６を着脱自在とする等の設計の自由度を向上できるとともに、バックライト６１が金属からなるフレーム部５およびバックライトケース６により覆われ、バックライト６１から発生する電磁波等の遮蔽状態を向上することができるとともに、同様にバックライト６１から発生する熱を、バックライトケース６、バックライトケース６が接触状態に収納されるフレーム部５、このフレーム部５の接続されている外筐体２，９という、互いに接触された複数の部材を介して液晶表示装置１外側に排出することが容易にできる。これにより、バックライト６１からの熱、電荷等を充分外部に放出することが可能となり、前記駆動用ＩＣ等が誤動作することを防止することができる。
【００４０】
なお、本実施形態の液晶表示装置１においては、テーパ面５１Ａを設けたことにより、最大視認角θm を拡大して設定することが可能となるため、テレビカメラ用ビューファインダに適用することができる。また、この場合、表示領域Ｒの全周に亘って同じ最大視認角θm を設定せずに、矩形の開口部５１の各辺において、異なる最大視認角θm の値を有するよう設定することも可能である。例えば、テレビカメラ用ビューファインダに適用した場合に、左右両側に位置する辺における最大視認角θm が上下方向に位置する辺の最大視認角θm の値を大きく設定することで、使用時における視認性等を向上することができる。
上記の例以外にも、開口部５１の一部分にはテーパ面を設けない状態等を含んで、表示領域Ｒ全周において、異なる最大視認角θm を有するようにテーパ面５１Ａを設定することが可能である。
【００４１】
以下、本発明に係る液晶表示装置の第２実施形態を、図面に基づいて説明する。
図５は本実施形態の液晶表示装置を示す要部断面図である。
本実施形態において、図１ないし図４に示す第１実施形態と異なるのは、開口窓が、フレーム部５ではなくバックライトケース６の開口部６６により構成された点である。これ以外のそれぞれ対応する構成要素には同一の符号を付して、その説明を省略する。
図において、符号６６Ａはテーパ面である。
【００４２】
本実施形態においては、バックライトケース６に、図５に示すように、液晶パネル３の表示部に対応した開口部６６が設けられ、該開口部６６の内縁部には、視認方向に向かって、つまり、前記液晶パネル３側から前記バックライト６１側に向けて、該開口部６６の輪郭形状が大きくなるようなテーパ面６６Ａが形成されている。この開口部６６は、その全周にテーパ面６６Ａを有するとともに、フレーム部５の開口部５１よりも、表示領域Ｒ内側位置となる輪郭を有し、表示領域Ｒの周縁部において最大視認角θm を拡大する開口窓を構成している。
【００４３】
このテーパ面６６Ａの内側（液晶パネル３側）端部６６ａは、図５に示すように、ブラックマスクＢの輪郭に沿った幅方向寸法ＷB における中心位置を通り液晶パネル３主面の法線Ｎに平行な線Ｃと一致する位置に設定される。したがって、液晶パネル３主面内方向においては、端部６６ａで規定されるテーパ面６６Ａの輪郭（開口部６６の最内側輪郭）と、図５に一点鎖線で示すブラックマスクＢの輪郭に沿った方向と直交する幅方向寸法ＷB における中心位置線Ｃとが、平面視略同一位置に形成されている。つまり、液晶パネル３側のテーパ面６６Ａ輪郭と、ブラックマスクＢの芯線Ｃとが、平面視して略同一位置に設定される。言い換えると、液晶表示装置１の視認側（表側）から見て、ブラックマスクＢの内側端部Ｂａで規定される表示領域Ｒの輪郭よりも、ブラックマスクＢの幅寸法ＷB に等しい寸法だけ縦横ともに拡大された輪郭寸法に開口部６６が設定され、ブラックマスクＢと開口部６６との輪郭で対応する各辺（輪郭線）がそれぞれ等距離だけ平面視して離間するように配置される。
【００４４】
前記テーパ面６６Ａは、視認角を拡大可能な形状であればよく、平面に限定されず、曲面等の形状が可能である。ここで、テーパ面６６Ａに対しては、テーパ面６６Ａ各点において定義される視認線Ｓに対して、これらの表示領域Ｒ外側に位置するものを連続してテーパ面６６Ａの延長面を定義する。本実施形態においては、このテーパ面６６Ａの延長面は、図５に示す視認線Ｓを開口部６６の輪郭に沿って連続して定義される。
このテーパ面６６Ａの延長面よりもブラックマスクＢおよびフレーム部５の開口部５１の端部５１ａが、開口部６６外側位置、表示領域Ｒ外側、かつ、液晶表示装置１外側に位置される。つまり、テーパ面６６Ａの延長面によって規定される視認線ＳがブラックマスクＢあるいはフレーム部５に重なって、バックライト６１から液晶パネル３を照射すべき光が阻害されてしまい、最大視認角θm が減少することがない。
【００４５】
ここで、テーパ面６６Ａの液晶パネル３主面の法線Ｎに対する傾き角、つまり、最大視認角θm は、大きければ大きいほどよく９０度に近い方が好ましいが、あまり大きい値だと、バックライトケース６の開口部６６付近における機械的強度が低下するとともに、バックライトケース６の製造過程において、不都合が生じるため、６０度以下程度に設定することが好ましい。
ここで、表示領域Ｒ外側近傍におけるフレーム部５およびバックライトケース６において、開口部５１の設けられる部分のフレーム部５の板厚および、テーパー面６６Ａの設けられる部分のバックライトケース６の板厚が、それぞれ０．２〜０．６ｍｍに設定されることが好ましい。これにより、バックライト収納部としてのフレーム部５およびバックライトケース６における機械的強度を維持した状態で、かつ、バックライト６１と液晶パネル３裏面との距離が離れて表示効率が低下したり、視認角が狭小化することを防止できる。
【００４６】
本実施形態においても、テーパ面５１Ａに対応してテーパ面６６Ａにより第１実施形態と同様の効果を奏する。なお、フレーム部５の開口部５１は、この端部５１ａが、開口部６６外側位置、表示領域Ｒ外側、かつ、液晶表示装置１外側に位置されていればよく、図５に示すように、テーパ面のない構成以外にもさまざまな構成が可能である。
【００４７】
以下、本発明に係る液晶表示装置の第３実施形態を、図面に基づいて説明する。
図６は本実施形態の液晶表示装置を示す要部断面図である。
本実施形態において、図１ないし図４に示す第１実施形態、図５に示す第２実施形態と異なるのは、開口窓が、フレーム部５とバックライトケース６の開口部５１，６６により構成された点である。これ以外のそれぞれ対応する構成要素には同一の符号を付して、その説明を省略する。
【００４８】
本実施形態においては、図６に示すように、フレーム部５とバックライトケース６の開口部５１，６６において、テーパ面５１Ａ，６６Ａが、それぞれお互いのテーパ面５１Ａ，６６Ａ延長面にほぼ等しい形状とされている。
【００４９】
テーパ面５１Ａの内側（液晶パネル３側）端部５１ａは、図６に示すように、ブラックマスクＢの輪郭に沿った幅方向寸法ＷB における中心位置を通り液晶パネル３主面法線Ｎに平行な中心位置線Ｃと一致する位置に設定される。したがって、液晶パネル３主面内方向においては、端部５１ａで規定されるテーパ面５１Ａの輪郭（開口部５１の最内側輪郭）と、図６に一点鎖線で示すブラックマスクＢの輪郭に沿った方向と直交する幅方向寸法ＷB における中心位置線Ｃとが、平面視略同一位置に形成されている。
【００５０】
本実施形態においても、テーパ面５１Ａおよびテーパ面６６Ａにより第１実施形態および第２実施形態と同様の効果を奏することができる。
【００５１】
なお、上記の第１ないし第３実施形態においては、フレーム部５の開口部５１のみ、バックライトケース６の開口部６６のみ、または、フレーム部５とバックライトケース６の開口部５１，６６の両方の全周にテーパ面５１Ａ，６６Ａをそれぞれ設けたが、上記以外にも、例えばテレビカメラ用ビューファインダーに適用した場合に、左右両側に位置する辺においては、フレーム部５の開口部５１のみ、上下両側に位置する辺においてはバックライトケース６の開口部６６のみにテーパ面５１Ａ，６６Ａをそれぞれ設ける等、フレーム部５とバックライトケース６の開口部５１，６６の位置関係に対応して、適宜テーパ面５１Ａ，６６Ａを設けて、これらの組み合わせにより、表示領域Ｒの周縁部において最大視認角θm を拡大する開口窓を構成することができる。
【００５２】
【発明の効果】
本発明の液晶表示装置によれば、バックライト収納部の開口部にテーパ面が設けられて、最大視認角の増大を図ることができる。したがって、液晶表示装置を視認する角度によって液晶表示素子に表示された情報が欠落してしまうことを低減し、液晶表示装置の動作確実性の低下を防止することができる。
また、これにより、バックライト収納部の機械的強度、および液晶表示装置における機械的強度の低下を防止し、また、バックライトからの熱電磁波等による影響の増加を防止できるため、液晶表示装置の動作信頼性の低下を防止することができるという効果を奏する。
【図面の簡単な説明】
【図１】   本発明に係る液晶表示装置の第１実施形態を示す斜視図である。
【図２】   本発明に係る液晶表示装置の第１実施形態を示す分解斜視図である。
【図３】   本発明に係る液晶表示装置の第１実施形態を示す要部断面図である。
【図４】   図２の液晶パネル３を示す平面図である。
【図５】   本発明に係る液晶表示装置の第２実施形態を示す要部断面図である。
【図６】   本発明に係る液晶表示装置の第３実施形態を示す要部断面図である。
【図７】   従来の液晶表示装置の一例を示す断面図である。
【図８】   視認角を説明するための図７における表示領域１７１周縁部付近を拡大した断面図である。
【図９】   視認角を説明するための図７における表示領域１７１周縁部付近を拡大した断面図である。
【符号の説明】
１…液晶表示装置、２…上ケース（外筐体）、３…液晶パネル（液晶表示素子）、４…駆動回路基板、５…フレーム部（バックライト収納部）、６…バックライトケース（バックライト収納部）、７…コントロール基板、８Ａ…電源基板、８Ｂ…デコーダ基板、９…下ケース（外筐体）、２１…開口部、３１，３２…透明基板、３２ｂ…端子部、５１…開口部、５１Ａ…テーパ面、５１ａ…端部、６１…バックライト、６６…開口部、６６Ａ…テーパ面、６６ａ…端部、Ｂ…ブラックマスク（表示領域規定枠部）、Ｂａ…端部
【図１】
0003741930.tif 000002
【図２】
0003741930.tif 000003
【図３】
0003741930.tif 000004
【図４】
0003741930.tif 000005
【図５】
0003741930.tif 000006
【図６】
0003741930.tif 000007
【図７】
0003741930.tif 000008
【図８】
0003741930.tif 000009
【図９】
0003741930.tif 000010